(57)【要約】      （修正有）【課題】開いた本のページ押さえを前後に動かすことによって、効率よく本を支持する。【解決手段】陶器またはプラスチック製のドーム型の脚を２個並べて下部に設けた孔からステンレス金属丸棒を挿入して上部にあけた穴から斜めに通す。これを斜め上後方に伸ばしてから折り曲げ、他方の脚の上部の孔から挿入し下部に設けた孔に通し、左右対称になるようにして、先端同士をヘアピン状態に斜め上方に折り曲げてから捩って左右脚の中間で結合する。この部分で、開きページの半分のところを前から抑えるストッパーとする。他のステンレス金属丸棒の両端をそれぞれの脚の前方から挿入して、前側は上に折り曲げ、ページ押えとする。【選択図】図１０
2010188097.tif 000002
【特許請求の範囲】
【請求項１】
直径６０ｍｍの球３分の２ほどのドームを陶器またはプラスチックまたは紙粘土で２個作成する。陶器は１０ミリ厚、プラスチックは１ミリ厚、紙粘土は２０ミリ厚とし、その一個の上部にＡ、右下部から１０ｍｍ上にＢ、同９ミリ上にＣ，前面下部から１１ミリ上にＤとＥ後面下部１１ミリ上のＦとＧに直径２．１ｍｍの丸穴を開ける、ただし後の都合でＣの穴は２ミリにしておく。ＡとＢの穴は直径２ミリの金属棒が斜めに貫通できるように開ける。さらに、もう一個のドームにも対象となる位置に同様の穴Ｈ，Ｉ，Ｊ、Ｋ，Ｌ，Ｍ，Ｎを開ける。次に直径２ｍｍのステンレス金属丸棒で次のような部品を作る。先ず１５センチの直線棒、次に６０センチの金属棒の１２センチのとこで折り曲げて両側がくっつくようにし、ヘアピン状に６センチの突起を作る。その突起の左右下を直角に水平にし、扇状に開き、５センチのとこで右方の先を斜め上に７センチ伸ばし、さらに左方の先も斜め上に３１センチ伸ばしたものを作っておく。次に、同金属棒を３８センチ使い中央に高さ４センチ幅３センチほどの山形を作り山形の左右足元を直角水平に並列に９センチ延ばしたものを２個作っておく。次にこれらの部品をドームの穴に通していく。先ず、ヘアピン状の突起の突いた扇状金属棒の長いほうの先端をドームの穴Ｂに通し、斜め上に伸ばしＡ穴に通す。さらにそこからやや斜め後方に傾け延ばし７センチで右横に曲がり、９センチで下に直角に曲がり、もう一個のドームの上部の穴Ｈに通し、一時停止する。次にヘアピン状突起の扇形金属棒の右方の先端を右方のドームの左横下の穴Ｉに通す。ここで先に待っていた金属棒の先端と出会うことになるが、両者を結び合わせるようにねじって固定する。続いて１５センチの直線金属棒を左右２個のドームの内側の穴ＣとＪに通し２個のドームを橋渡しするよう固定する。ＣとＪの穴は金属棒の直径と同じ大きさなので、押し込むと固定される。この結果、左右２個のドームの間に扇方に開いた水平足の付いたヘアピン状突起が立つことになる。このヘアピン状突起は本を開き全ページの半分のとこで本の中心を前から抑えるストッパーとして使うのである。こうするとページをめくっていって、片側が厚くなり傾くのを防げるのである。このとき本の背中はドーム前面と金属横棒で支えられるようにする。
次に、山形付き２本平行線金属棒の２本の先端を左ドームの前下の穴ＤとＥに通し、さらに後ろ下の穴ＦとＧに通す。さらにＦとＧから出た先を下にくるりと丸めながら曲げて足として着地させる。続いてもう一個の山形付き平行線棒を右ドームに同様に設置する。この２個の山形は引いたり押したりして動かせるようにする。本を開いて山形とドームの間に置いたときページがめくれないように左右の山形を押して抑えることが出来る。開いたページが厚くなった方の山形を引き出し、薄くなった方の山形をおしこむようにして調節するのである。以上のように構成される金属棒新型書見台。
【発明の詳細な説明】
【技術分野】
【０００１】本考案は、ドームを土台にし、金属棒を使って、開いた本のページ押さえを前後に動かせるようにした新型書見台である。
【背景技術】
【０００２】    従来書見台は木製でかさばりデザイン的にも単調で物足らない。本考案はドームを土台にし、金属細棒を使用した新型で、かさばる背板を使わず、金属棒のページ押さえを前後に動かす事によって、効率よく本を置けるようにした。
【発明の開示】
【発明が解決しようとする課題】
【０００３】  直径６０ミリ球の３分の２ほどのドームを２個並べ土台とし、金属棒枠を背もたれとページ押さえにしたい。
【課題を解決するための手段】
【０００４】  本考案は陶器などでドームを作りそれを土台にして金属細棒のページ押さえと背もたれを付ける。
【発明の効果】
【０００５】ドーム型土台が目新しく人間に興味を感じさせる。山形出っ張りつき金属棒枠を前後に動かし、開いたページがめくれないようにページの下部を押さえることが出来る。ヘアピンストッパーで開いた本の中心を抑えることによって、本のページをめくって行くうちに左右の厚さが変わり本のバランスが崩れるのを防止できる。
さらに、昔からある書見台は型が古臭く野暮ったく好まれず、ほとんど使われていなかったが、この新型書見台は斬新的なデザインですこぶる好まれた。朝起きるとついついこの書見台に目がいってしまい、勉強意欲をくすぐられ、机の前に座ってしまい、勉強するようになり、成績が上がるものが多くなった。
【発明を実施するための最良の形態】
【０００６】  枠の材料は加工がしやすい程度のやわらかさと形がくずれない硬さを兼ね備える直径２ミリほどのステンレス丸棒が最も良い。土台は陶器、紙粘土、プラスチックなどがよい。
【実施例】
【０００７】紙粘土を丸めて底円直径が６０ミリの球の３分の２ほどのドームを２個作る。
その一個の上部にＡ、右下部から１０ｍｍ上にＢ、同９ミリ上にＣ，前面下部から１１ミリ上にＤとＥ後面下部にＦとＧに直径２．１ｍｍの丸穴を開ける、さらに、もう一個のドームにも対象となる位置に同様の穴Ｈ，Ｉ，Ｊ、Ｋ，Ｌ，Ｍ，Ｎを開ける。次に直径２ｍｍのステンレス金属丸棒で次のような部品を作る。先ず１５センチの直線棒、次に６センチのヘアピン状突起の両側を直角水平に扇状に開き右側５センチで斜め上に７センチ延ばす、さらに左側も５センチのとこで斜め上に３１センチ伸ばしたものを作っておく。次に、同金属棒を３８センチ使い中央に高さ５センチ幅３センチほどの山形を作り山形の左右足元を直角水平に９センチ並列に延ばしたものを２個作っておく。次にこれらの部品をドームの穴に通していく。先ず、ヘアピン状の突起の突いた扇状金属棒の長いほうの先端をドームの穴Ｂに通し、斜め上に伸ばしＡ穴に通す。さらにそこからやや斜め後方に傾け延ばし７センチで右横に曲がり、９センチで斜め下に下りて、もう一個のドームの上部の穴Ｈに通し、一時停止する。次にヘアピン状突起の扇形金属棒の右方の先端を右方のドームの左横下の穴Ｉに通す。ここで両者の先端を結び合わせるようにねじって固定する。
続いて１５センチの直線金属棒を左右２個のドームの内側の穴ＣとＪに通し２個のドームを橋渡しするよう固定する。この結果、左右２個のドームの間に扇方に開いた水平足の付いたヘアピン状突起が立つことになる。このヘアピン状突起は本を開き全ページの半分のとこで本の中心下を前から抑えるストッパーとして使うのである。こうするとページをめくっていって、片側が厚くなったり、薄くなったりして傾くのを防げるのである。このとき本の背中はドーム前面と金属横棒で支えられるようにする。次に、山形付き２本平行線金属棒の２本の先端を左ドームの前下の穴ＤとＥに通し、さらに後ろ下の穴ＦとＧに通す。さらにＦとＧから出た先を下にくるりと丸めながら曲げて足として着地させる。続いてもう一個の山形付き平行線棒を右ドームに同様に設置する。この２個の山形は引いたり押したりして動かせるようにする。
【産業上の利用可能性】
【０００８】  かさばる背板を使用せず、ドーム土台なので外観が目新しく美しい。金属棒枠のみをメーカーが製作し、土台部分は紙粘土そのままをつけ置き、両者をセットにして教材などとして販売することが出来る。土台の彩色、描画、写真貼り付けなどを自由に出来る。
【図面の簡単な説明】
【０００９】
【図１】  本発明によるドーム型書見台の土台となるドームの正面図
【図２】  同平面図である。
【図３】  本発明によるドーム型書見台の中心に設置するヘアピンストッパーの正面図である。
【図４】  ヘアピンストッパーをドームに付けた側面図である。
【図５】  本発明によるドーム型書見台のページ押さえ枠に使う山形を付けた金属棒枠を示す正面図である。
【図６】  同側面図である。
【図７】  同枠をドームにはめ込んだ側面図である。
【図８】  ヘアピンストッパーをドームに設置した斜め正面図である。
【図９】  山形ページ抑えをドームに設置した斜め正面図である。
【図１０】  本発明によるドーム型書見台の全体を示す斜め正面図である。
【図１】
2010188097.tif 000003
【図２】
2010188097.tif 000004
【図３】
2010188097.tif 000005
【図４】
2010188097.tif 000006
【図５】
2010188097.tif 000007
【図６】
2010188097.tif 000008
【図７】
2010188097.tif 000009
【図８】
2010188097.tif 000010
【図９】
2010188097.tif 000011
【図１０】
2010188097.tif 000012
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
直径６０ｍｍの球３分の２ほどのドームを陶器またはプラスチックまたは紙粘土で２個作成する。陶器は１０ミリ厚、プラスチックは１ミリ厚、紙粘土は２０ミリ厚とし、その一個の上部にＡ、右下部から１０ｍｍ上にＢ、同９ミリ上にＣ，前面下部から１１ミリ上にＤとＥ後面下部１１ミリ上のＦとＧに直径２．１ｍｍの丸穴を開ける、ただし後の都合でＣの穴は２ミリにしておく。ＡとＢの穴は直径２ミリの金属棒が斜めに貫通できるように開ける。さらに、もう一個のドームにも対象となる位置に同様の穴Ｈ，Ｉ，Ｊ、Ｋ，Ｌ，Ｍ，Ｎを開ける。次に直径２ｍｍのステンレス金属丸棒で次のような部品を作る。先ず１５センチの直線棒、次に６０センチの金属棒の１２センチのとこで折り曲げて両側がくっつくようにし、ヘアピン状に６センチの突起を作る。その突起の左右下を直角に水平にし、扇状に開き、５センチのとこで右方の先を斜め上に７センチ伸ばし、さらに左方の先も斜め上に３１センチ伸ばしたものを作っておく。次に、同金属棒を３８センチ使い中央に高さ４センチ幅３センチほどの山形を作り山形の左右足元を直角水平に並列に１４センチ延ばしたものを２個作っておく。次にこれらの部品をドームの穴に通していく。先ず、ヘアピン状の突起の突いた扇状金属棒の長いほうの先端をドームの穴Ｂに通し、斜め上に伸ばしＡ穴に通す。さらにそこからやや斜め後方に傾け延ばし７センチで右横に曲がり、９センチで下に直角に曲がり、もう一個のドームの上部の穴Ｈに通し、一時停止する。次にヘアピン状突起右下の扇形金属棒の上に伸びてる先端を右方のドームの左横下の穴Ｉに通す。ここで先に待っていた金属棒の先端と出会うことになるが、両者を結び合わせるようにねじって固定する。続いて１５センチの直線金属棒を左右２個のドームの内側の穴ＣとＪに通し２個のドームを橋渡しするよう固定する。ＣとＪの穴は金属棒の直径と同じ大きさなので、押し込むと固定される。この結果、左右２個のドームの間に扇方に開いた水平足の付いたヘアピン状突起が立つことになる。このヘアピン状突起は本を開き全ページの半分のとこで本の中心を前から抑えるストッパーとして使うのである。こうするとページをめくっていって、片側が厚くなり傾くのを防げるのである。このとき本の背中はドーム前面と金属横棒で支えられるようにする。
次に、山形付き２本平行線金属棒の２本の先端を左ドームの前下の穴ＤとＥに通し、さらに後ろ下の穴ＦとＧに通す。さらにＦとＧから出た先を下にくるりと丸めながら曲げて足として着地させる。続いてもう一個の山形付き平行線棒を右ドームに同様に設置する。この２個の山形は引いたり押したりして動かせるようにする。本を開いて山形とドームの間に置いたときページがめくれないように左右の山形を押して抑えることが出来る。開いたページが厚くなった方の山形を引き出し、薄くなった方の山形をおしこむようにして調節するのである。以上のように構成されるドーム型書見台。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
直径６５ｍｍの球３分の２ほどのドームを陶器またはプラスチックまたは紙粘土で２個作成する。陶器は１０ミリ厚、プラスチックは１ミリ厚、紙粘土は２０ミリ厚とし、その一個の上部頂点にＡ、前面中央下部から１３ミリ上に中心線を挟んで２４ミリ間隔あけてＤとＥ、後面下部のＤとＥの対照点にＦとＧ、右下から８ミリ上にＥから右に２５ミリ開けてＢ，Ｂから斜め右上に１５ミリ開けてＣ点に直径２．１ｍｍの丸穴を開ける、ただし後の都合でＣの穴は２ミリにしておく。ＡとＢの穴は直径２ミリの金属棒が斜めに貫通できるように開ける。さらに、もう一個のドームにもこれらの点と対照となる位置に同様の穴Ｈ，Ｉ，Ｊ、Ｋ，Ｌ，Ｍ，Ｎを開ける。次に直径２ｍｍのステンレス金属丸棒で次のような部品を作る。先ず１３センチの直線棒、次に６９センチの金属棒の１１センチのとこで直角に折り曲げて、ヘアピン状に６センチの突起を作る。その突起の左右下を直角に水平にし、扇状に１５０度開き、５センチのとこで右方の先を斜め上に６センチ伸ばし、さらに左方の先もヘアピン根元から５センチのとこで斜め上に４１センチ伸ばしたものを作っておく。次に、同金属棒を３８センチ使い中央に高さ４センチ幅３センチほどの山形を作り山形の左右足元を直角水平に並列に１４センチ延ばしたものを２個作っておく。次にこれらの部品をドームの穴に通していく。先ず、１５センチの直線金属棒を左右２個のドームの内側の穴ＣとＪに通し２個のドームを橋渡しするよう固定する。ＣとＪの穴は金属棒の直径と同じ大きさなので、押し込むと固定される。続いてヘアピン状の突起の突いた扇状金属棒の長いほうの先端をドームの穴Ｂに通し、斜め上に伸ばしＡ穴に通す。さらにそこからやや斜め後方に傾け延ばし１０センチで右横に曲がり、１３センチで下に直角に曲がり、もう一個のドームの上部の穴Ｈに通し、一時停止する。次にヘアピン状突起右下の扇形金属棒の上に伸びてる先端を右方のドームの左横下の穴Ｉに通す。ここで先に待っていた金属棒の先端と出会うことになるが、両者を結び合わせるようにねじって固定する。この結果、左右２個のドームの間に扇方に開いた水平足の付いたヘアピン状突起が立つことになる。このヘアピン状突起は本を開き全ページの半分のとこで本の中心を前から抑えるストッパーとして使うのである。こうするとページをめくっていって、片側が厚くなり傾くのを防げるのである。このとき本の背中はドーム前面と金属横棒で支えられるようにする。
次に、山形付き２本平行線金属棒の２本の先端を左ドームの前下の穴ＤとＥに通し、さらに後ろ下の穴ＦとＧに通す。さらにＦとＧから出た先を下にくるりと丸めながら曲げて足として着地させる。続いてもう一個の山形付き平行線棒を右ドームに同様に設置する。この２個の山形は引いたり押したりして動かせるようにする。本を開いて山形とドームの間に置いたときページがめくれないように左右の山形を押して抑えることが出来る。開いたページが厚くなった方の山形を引き出し、薄くなった方の山形をおしこむようにして調節するのである。以上のように構成されるドーム型書見台。